(57)【要約】【課題】浄水の生成量を十分に確保することができるエンジン駆動作業機を提供する。【解決手段】エンジン駆動作業機１０は、エンジン１２の廃熱で原水２９を蒸発させ、蒸発させた水蒸気を凝縮させて浄水６９を生成する水生成装置２０を備えている。水生成装置２０は、原水２９をエンジン１２の廃熱で蒸発させて水蒸気とする蒸発器３５と、蒸発器３５の上方を覆う板状のセパレータ９４を有するセパレータ部３９と、セパレータ部３９の上方を覆うように設けられた凝集器３８とを備えている。セパレータ９４の中央９４ｂに水蒸気を上方に導く開口部８８が形成されている。凝集器３８の開口対峙部位７６ｆを避けて右凝縮フィン８２および左凝縮フィン８４が設けられている。【選択図】図５
2015031264.tif 000002
【特許請求の範囲】
【請求項１】
エンジンの駆動中に該エンジンの廃熱で原水を蒸発させ、蒸発させた水蒸気を凝縮させて浄水を生成する水生成装置を備えたエンジン駆動作業機において、
前記水生成装置は、
前記原水を前記エンジンの廃熱で蒸発させて水蒸気とする蒸発器と、
該蒸発器の上方を覆う板状のセパレータを有し、該セパレータの中央に前記水蒸気を上方に導く開口部が形成されたセパレータ部と、
該セパレータの上方を覆うように設けられ、前記開口部を経て上方に導かれた前記水蒸気を凝縮させて浄水を生成する凝集器と、を備え、
前記凝集器は、
前記開口部に対峙する部位を避けて設けられ、前記開口部を経て上方に導かれた前記水蒸気を凝縮させる凝縮フィンを有することを特徴とするエンジン駆動作業機。
【請求項２】
前記凝集器は、
前記開口部に対峙する中央部が前記凝集器の周辺部より高位置に配置されるように、前記中央部から前記凝集器の周辺部に向けて傾斜状に形成されたことを特徴とする請求項１記載のエンジン駆動作業機。
【請求項３】
前記セパレータは、
前記セパレータの周辺部が前記開口部より低位置に配置されるように、前記開口部から前記セパレータの周辺部に向けて傾斜状に形成されたことを特徴とする請求項１または請求項２記載のエンジン駆動作業機。
【請求項４】
前記水生成装置は、
前記蒸発器および前記セパレータの開口部間に設けられ、前記蒸発器で蒸発させた水蒸気を前記開口部の周縁に向けて導く蒸気誘導板を備えたことを特徴とする請求項１〜３のいずれか１項記載のエンジン駆動作業機。
【発明の詳細な説明】
【技術分野】
【０００１】
本発明は、エンジンの廃熱で原水を蒸発させ、蒸発させた水蒸気を凝縮させて浄水を生成する水生成装置を備えたエンジン駆動作業機に関する。
【背景技術】
【０００２】
エンジン駆動作業機として、河川などの水（原水）を水ポンプ内に取り込み、取り込んだ原水の一部を分岐し、分岐した原水をエンジンの廃熱で蒸発させ、蒸発させた蒸気を分岐した原水で凝縮して浄水を生成するものが知られている。
【０００３】
エンジン駆動作業機によれば、水ポンプの駆動中に、水ポンプ内に取り込んだ原水の一部を原水分岐管に案内し、案内した原水を原水分岐管を経てエンジンの排気管に導く。導いた原水を排気管の廃熱（すなわち、エンジンの廃熱）で蒸発させ、蒸発させた水蒸気を連通管に沿わせて原水分岐管まで上昇させる。上昇させた水蒸気を原水分岐管内の原水で凝縮させることにより浄水を生成する。生成した浄水を、例えば、飲料水として使用する（例えば、特許文献１参照。）。
【先行技術文献】
【特許文献】
【０００４】
【特許文献１】特開２０１２−２４６９９号公報
【発明の概要】
【発明が解決しようとする課題】
【０００５】
ここで、特許文献１のエンジン駆動作業機は、蒸発領域で蒸発させた蒸気を連通管で凝縮領域まで導いている。よって、連通管の蒸気取入口が小さく形成され、蒸発領域で蒸発させた水蒸気を蒸気取入口に効率よく取り入れることが難しい。
このため、エンジンの廃熱で蒸発させた水蒸気の凝縮量を確保し難く、浄水（蒸留水）の生成量を十分に確保することが難しい。
【０００６】
本発明は、浄水（蒸留水）の生成量を十分に確保することができるエンジン駆動作業機を提供することを課題とする。
【課題を解決するための手段】
【０００７】
請求項１に係る発明は、エンジンの駆動中に該エンジンの廃熱で原水を蒸発させ、蒸発させた水蒸気を凝縮させて浄水を生成する水生成装置を備えたエンジン駆動作業機において、前記水生成装置は、前記原水を前記エンジンの廃熱で蒸発させて水蒸気とする蒸発器と、該蒸発器の上方を覆う板状のセパレータを有し、該セパレータの中央に前記水蒸気を上方に導く開口部が形成されたセパレータ部と、該セパレータの上方を覆うように設けられ、前記開口部を経て上方に導かれた前記水蒸気を凝縮させて浄水を生成する凝集器と、を備え、前記凝集器は、前記開口部に対峙する部位を避けて設けられ、前記開口部を経て上方に導かれた前記水蒸気を凝縮させる凝縮フィンを有することを特徴とする。
【０００８】
請求項２に係る発明は、前記凝集器は、前記開口部に対峙する中央部が前記凝集器の周辺部より高位置に配置されるように、前記中央部から前記凝集器の周辺部に向けて傾斜状に形成されたことを特徴とする。
【０００９】
請求項３に係る発明は、前記セパレータは、前記セパレータの周辺部が前記開口部より低位置に配置されるように、前記開口部から前記セパレータの周辺部に向けて傾斜状に形成されたことを特徴とする。
【００１０】
請求項４に係る発明は、前記水生成装置は、前記蒸発器および前記セパレータの開口部間に設けられ、前記蒸発器で蒸発させた水蒸気を前記開口部の周縁に向けて導く蒸気誘導板を備えたことを特徴とする。
【発明の効果】
【００１１】
請求項１に係る発明では、板状のセパレータに開口部を形成することにより、例えば、管部材の中空部を開口部として利用する場合と比べて開口部を大きくできる。よって、蒸発器で蒸発させた水蒸気を開口部に効率よく取り入れることができ、取り入れた水蒸気を開口部を経て凝集器に導くことができる。
【００１２】
さらに、開口部に対峙する部位を避けて凝縮フィンを形成した。よって、開口部に対峙する部位で水蒸気を凝縮することを防ぎ、開口部に対峙する部位を避けた凝縮フィンで水蒸気を凝縮することができる。
これにより、凝集器内で凝縮した浄水（蒸留水）が開口部を経て蒸発器内に滴下することを防止でき、浄水の生成量を十分に確保できる。
【００１３】
請求項２に係る発明では、凝集器の中央部が周辺部より高位置に配置されるように、中央部から周辺部に向けて傾斜状に形成した。よって、凝縮フィンで凝縮させた浄水が凝集器の中央部側に移動することを防止できる。
これにより、凝縮フィンで凝縮させた浄水をセパレータに滴下させて好適に回収でき、浄水の生成量を十分に確保できる。
【００１４】
請求項３に係る発明では、セパレータを開口部から周辺部に向けて傾斜状に形成して周辺部を開口部より低位置に配置するようにした。よって、蒸発器で蒸発させた水蒸気をセパレータの下面に沿って開口部まで導くことができる。
これにより、蒸発器で蒸発させた水蒸気を開口部を経て凝集器に効率よく導くことができ、浄水の生成量を十分に確保できる。
【００１５】
さらに、セパレータを開口部から周辺部に向けて傾斜状に形成して周辺部を開口部より低位置に配置した。さらに、セパレータの周辺部は中央部より温度が低いため浄水の再気化を防止できる。よって、セパレータに滴下した浄水を周辺部に円滑に導くことができる。これにより、周辺部に導かれた浄水を収集する（集める）ことにより浄水を好適に回収することができる。
【００１６】
請求項４に係る発明では、蒸発器およびセパレータの開口部間に蒸気誘導板を設け、蒸気誘導板で蒸発器の水蒸気を開口部の周縁に向けて導くようにした。
開口部の周縁は、水平方向において凝縮フィン側に設けられている。
よって、蒸発器の水蒸気を蒸気誘導板で開口部の周縁に向けて導くことにより、開口部を経た水蒸気を凝縮フィンに効率よく導くことができる。これにより、開口部を経た水蒸気を凝縮フィンで効率よく凝縮させて浄水を生成することができる。
【図面の簡単な説明】
【００１７】
【図１】本発明に係るエンジン駆動作業機を正面側から見た状態を示す斜視図である。
【図２】図１のエンジン駆動作業機を背面側から見た状態を示す斜視図である。
【図３】図２の水生成部を示す左側（エンジン側）から見た状態を示す斜視図である。
【図４】図３の水生成部を示す分解斜視図である。
【図５】図３の５−５線断面図である。
【図６】図５の６−６線断面図である。
【図７】図４の７部拡大図である。
【図８】図７のセパレータ部を示す平面図である。
【図９】図８の９−９線断面図である。
【図１０】本発明に係る凝集器で生成した浄水をセパレータ部で回収する例を説明する図である。
【発明を実施するための形態】
【００１８】
本発明を実施するための最良の形態を添付図に基づいて以下に説明する。なお、図中、前方、後方、左側方および右側方を「Ｆｒ」、「Ｒｒ」、「Ｌ」および「Ｒ」で示す。
【実施例】
【００１９】
実施例に係るエンジン駆動作業機１０について説明する。
図１、図２に示すように、エンジン駆動作業機１０は、エンジン駆動作業機１０の外枠を形成するフレーム１１と、フレーム１１の前左下部に設けられたエンジン１２と、エンジン１２に一体に設けられた発電機１３と、発電機１３およびエンジン１２に隣接して設けられた水生成装置２０と、エンジン１２の燃料タンク２２および水生成装置２０の原水タンク４１の前方に設けられた操作盤１５とを備えたエンジン駆動用の発電機である。
【００２０】
フレーム１１は、エンジン１２、発電機１３および水生成装置２０の浄水タンク３３を支持するベース１７と、ベース１７の左端部から上方に向けて折り曲げられた左フレーム１８と、ベース１７の右端部から上方に向けて折り曲げられた右フレーム１９とを有する。
左フレーム１８の把持部１８ａおよび右フレーム１９の把持部１９ａを手で把持してエンジン駆動作業機１０を持ち上げることにより、エンジン駆動作業機１０を搬送（運搬）することができる。
【００２１】
エンジン１２は、ベース１７の前左下部１７ａに支持され、クランクシャフトの右端部が発電機１３の駆動軸に同軸上に連結されている。また、クランクシャフトの左端部が冷却ファン２３に連結され、冷却ファン２３がリコイルスタータ２４に連結されている。
さらに、シリンダヘッド（エンジンヘッド）２５の排気ポート２８（図５参照）が排気管２７（図５参照）を介して水生成装置２０の蒸発器３５に連通されている。よって、エンジン１２が駆動することにより、排気ガスが排気ポート２８、排気管２７を経て水生成装置２０の蒸発器３５に導かれる。
【００２２】
冷却ファン２３は、エンジン１２のシリンダブロックやシリンダヘッド２５に冷却風を送風することにより、シリンダブロックやシリンダヘッド２５を冷却する装置である。シリンダヘッド２５は、先端部がヘッドカバー２６で覆われている。
リコイルスタータ２４はエンジン１２を始動させる装置である。
【００２３】
発電機１３は、エンジン１２のクランクシャフトに連通する駆動軸と、駆動軸に設けられたロータとを備えている。クランクシャフトで駆動軸を回転することによりロータが回転し、ロータが回転することにより電力を発生する。
【００２４】
水生成装置２０は、発電機１３、シリンダブロック、シリンダヘッド２５およびヘッドカバー２６で形成された空間に配置されている。
この水生成装置２０は、原水２９（図５参照）を供給する原水供給手段３１と、原水供給手段３１から供給された原水２９から浄水を生成する水生成部３２と、水生成部３２で生成された浄水を蓄える浄水タンク３３とを含む（備えている）。
水生成部３２は、発電機１３側に第１ブラケット３４ａおよび第２ブラケット３４ｂを介して支持されている。
【００２５】
図３、図４に示すように、水生成部３２は、原水供給手段３１から供給された原水２９を蒸発する蒸発器３５と、蒸発器３５の下部を覆うボトムカバー３６と、蒸発器３５で蒸発された水蒸気を凝縮する凝集器３８と、凝集器３８で生成された浄水（蒸留水）６９を収集する（集める）セパレータ部３９とを含む（備えている）。
ボトムカバー３６、蒸発器３５、凝集器３８およびセパレータ３９は積層された状態に複数のボルト４７ａ，ナット４７ｂで締結されている。
水生成装置２０は、蒸発器３５で蒸発させた蒸気を凝集器３８で凝縮させて浄水を生成する機能を備えている。
【００２６】
原水供給手段３１は、水生成部３２の上方に設けられて原水２９を蓄える原水タンク４１と、原水タンク４１に蓄えられた原水２９を蒸発器３５に導く（供給する）原水供給路４２と、蒸発器３５の内部空間４３（図５も参照）および原水タンク４１の内部空間４６を連通する空気抜き路４５とを備えている。
【００２７】
図４、図５に示すように、蒸発器３５は、外周壁５２が略矩形の枠状に形成された蒸発容器５１と、蒸発容器５１内に設けられた加熱部（熱交換部）５３とを備えている。
蒸発容器５１は、下部５１ａにボトムカバー３６が取り付けられることにより、ボトムカバー３６で下部５１ａが塞がれている。
蒸発容器５１およびボトムカバー３６で原水貯留槽４８が形成される。原水貯留槽４８に、原水タンク４１から供給された原水２９が蓄えられる。
【００２８】
蒸発容器５１の外周壁５２は、第１壁部５５、第２壁部５６、第３壁部５７および第４壁部５８で略矩形の枠状に形成されている。
第１壁部５５に、加熱部５３のガス取入部６６が一体に設けられている。ガス取入部６６の入口６６ａが排気管２７を介してエンジン１２の排気ポート２８に連通されている。また、ガス取入部６６の出口６６ｂが加熱部５３（加熱本体６５）の加熱入口６５ａに連通されている。
【００２９】
第１壁部５５に原水取入部６３が設けられ、第２壁部５６に空気抜き部６４が設けられている。原水取入部６３が蒸発容器５１の内部に連通され、原水取入部６３に原水供給路４２が連通されている。
空気抜き部６４が蒸発容器５１の内部に連通され、空気抜き部６４に空気抜き路４５が連通されている。
【００３０】
第３壁部５７に、加熱部５３のガス排出部６７が一体に設けられている。ガス排出部６７の入口６７ａが加熱部５３（加熱本体６５）の加熱出口６５ｂに連通され、ガス排出部６７の出口６７ｂが蒸発器３５の外部６８に開口されている。
【００３１】
加熱部５３は、蒸発器３５の内部に排気ガスを案内する熱交換器である。
この加熱部５３は、蒸発器３５の内部に収納された加熱本体６５と、加熱本体６５の加熱入口６５ａに連通されたガス取入部６６と、加熱本体６５の加熱出口６５ｂに連通されたガス排出部６７とを有する。
加熱本体６５は、加熱入口６５ａがガス取入部６６に連通され、加熱出口６５ｂがガス排出部６７に連通されている。
【００３２】
エンジン１２の排気ガスが、排気管２７およびガス取入部６６を経て加熱本体６５の加熱入口６５ａに導かれ、加熱入口６５ａを経て加熱本体６５に導かれる。
加熱本体６５に導かれた排気ガスが、加熱本体６５の加熱出口６５ｂを経てガス排出部６７に導かれる。ガス排出部６７に導かれた排気ガスが、ガス排出部６７の出口６７ｂから蒸発器３５の外部６８に排出される。
【００３３】
加熱部５３にエンジン１２の排気ガスを導くことにより、排気ガスの廃熱（エンジン１２の廃熱）で加熱部５３が加熱される。加熱部５３が加熱されることにより、原水貯留槽４８に蓄えられた原水２９を加熱部５３で蒸発させることができる。
すなわち、蒸発器３５は、蒸発容器５１に蓄えた原水２９をエンジン１２の廃熱を利用して蒸発させる機能を備えている。
【００３４】
図５、図６に示すように、凝集器３８は、セパレータ部３９の上方を覆うように、セパレータ部３９の上部に設けられている。
この凝集器３８は、セパレータ部３９の上方を覆う頂部７６を有する凝集容器７５と、頂部７６の外面（上面）７６ａに設けられた複数の冷却フィン８１と、頂部７６の内面（下面）７６ｂに設けられた複数の右凝縮フィン（凝縮フィン）８２および複数の左凝縮フィン（凝縮フィン）８４とを含む。
【００３５】
凝集容器７５は、蒸発容器５１やセパレータ部３９の上方を覆う頂部７６と、頂部７６の周辺部（凝集器の周辺部）７６ｇに設けられた外周壁７７とを有する。外周壁７７は、蒸発容器５１の外周壁５２と同様に、略矩形の枠状に形成されている。
頂部７６は、加熱部５３に導かれた排気ガスの流れ方向（矢印Ａ方向）に対して直交する方向（矢印Ｂ方向）において、中央部（凝集器の中央部）７６ｃが上方に突出するように山形（逆Ｖ字形）に形成されている。
【００３６】
頂部７６の外面７６ａおよび外周壁７７の一部に複数の冷却フィン８１が設けられている。よって、凝集器３８は、大気（外部６８）に対峙する面積が大きく確保される。これにより、複数の冷却フィン８１により熱交換を効率よくおこない、凝集器３８を好適な冷却状態に保つことができる。
【００３７】
頂部７６の内面７６ｂは、セパレータ部３９の開口部８８に対峙する開口対峙部位（部位）７６ｆと、開口対峙部位７６ｆを避けて右側に設けられた右凝縮部位７６ｄと、開口対峙部位７６ｆを避けて左側に設けられた左凝縮部位７６ｅとを有する。
開口対峙部位７６ｆは、頂部７６の中央部７６ｃ（前後方向の中央）に設けられている。
【００３８】
右凝縮部位７６ｄは、蒸発容器５１（第３壁部５７）上方に位置し、複数の右凝縮フィン８２が設けられている。左凝縮部位７６ｅは、蒸発容器５１（第１壁部５５）上方に位置し、複数の左凝縮フィン８４が設けられている。
複数の右凝縮フィン８２や複数の左凝縮フィン８４は、複数の冷却フィン８１で好適な冷却状態に保たれる。
【００３９】
この凝集器３８に、蒸発器３５で発生された水蒸気がセパレータ部３９の開口部８８を経て導かれる。凝集器３８に導かれた水蒸気が、複数の右凝縮フィン８２や複数の左凝縮フィン８４に接触することにより凝縮され、各凝縮フィン８２，８４に浄水６９として付着する。
すなわち、凝集器３８は、蒸発器３５の上方に設けられ、蒸発器３５で蒸発させた水蒸気を右凝縮部位７６ｄや左凝縮部位７６ｅで凝縮させて浄水を生成する機能を備えている。凝集器３８で生成された浄水はセパレータ部３９で収集される。
【００４０】
図７、図８に示すように、セパレータ部３９は、蒸発器３５および凝集器３８間に介在されるセパレータ容器９３と、セパレータ容器９３に一体に設けられて蒸発器３５の上方に配置されたセパレータ９４と、セパレータ９４に一体に設けられてセパレータ９４の下方に配置された蒸気誘導板９５とを含む。
【００４１】
セパレータ容器９３は、蒸発器３５および凝集容器７５と同様に、外周壁９７が略矩形の枠状に形成されている。外周壁９７は、第１壁部９８、第２壁部９９、第３壁部１０１および第４壁部１０２を有する。第３壁部１０１の略中央１０１ａに浄水取出部８９が取り付けられている。
外周壁９７の内面にセパレータ９４の周辺部９４ａが形成されることにより、セパレータ容器９３の内部にセパレータ９４が設けられている。
セパレータ９４は、蒸発器３５の上方を覆うように板状の部材で形成され（図５、図６参照）、開口部８８が中央９４ｂに形成されている。
【００４２】
開口部８８は、上方に突出された開口周縁（周縁）１０４を有する。開口周縁１０４は、第１縁壁１０５、第２縁壁１０６、第３縁壁１０７および第４縁壁１０８で略矩形状に形成されている。
セパレータ９４の中央９４ｂに開口部８８が形成されることにより、蒸発器３５で発生させた水蒸気を開口部８８を経て凝集器３８まで上方に導くことができる。
【００４３】
ここで、セパレータ９４は板状に形成されている。板状のセパレータ９４に開口部８８を形成することにより、例えば、管部材の中空部を開口部として利用する場合と比べて、開口部８８を大きく形成できる。
開口部８８を大きく形成することにより、蒸発器３５で蒸発させた水蒸気を開口部８８に取り入れ、取り入れた水蒸気を開口部８８を経て凝集器３８に効率よく導くことができる。
【００４４】
セパレータ９４は、開口部８８からセパレータ９４の周辺部９４ａに向けて下り勾配の傾斜状に形成されたセパレータ傾斜部１１１と、セパレータ傾斜部１１１の傾斜周辺部１１１ａに沿って設けられたセパレータ樋部１１２とを有する。
【００４５】
セパレータ傾斜部１１１は、第２縁壁１０６および第２壁部９９間に設けられた第１傾斜部１１４と、第４縁壁１０８および第４壁部１０２間に設けられた第２傾斜部１１５と、第３縁壁１０７および第３壁部１０１間に設けられた第３傾斜部１１６とを有する。
第１傾斜部１１４は、第２縁壁１０６から第２壁部９９に向けて下り勾配に形成されている。第２傾斜部１１５は、第４縁壁１０８から第４壁部１０２に向けて下り勾配に形成されている。第３傾斜部１１６は、第３縁壁１０７から第３壁部１０１に向けて下り勾配に形成されている。
【００４６】
換言すれば、セパレータ傾斜部１１１は、開口部８８からセパレータ９４の周辺部９４ａ（具体的には、セパレータ傾斜部１１１の傾斜周辺部１１１ａ）に向けて下り勾配に形成されている。よって、セパレータ傾斜部１１１の傾斜周辺部１１１ａが開口部８８より低位置に配置されている（図５、図６参照）。
【００４７】
セパレータ傾斜部１１１は、第１傾斜部１１４および第２傾斜部１１５の連結部で形成された第１稜線１１７と、第１傾斜部１１４および第３傾斜部１１６の連結部で形成された第２稜線１１８と、第２傾斜部１１５および第３傾斜部１１６の連結部で形成された第３稜線１１９とを有する。
第１稜線１１７、第２稜線１１８および第３稜線１１９は、上方に隆起する凸状に形成されている。
【００４８】
セパレータ傾斜部１１１の傾斜周辺部１１１ａに沿ってセパレータ樋部１１２が設けられている。
セパレータ樋部１１２は、第２壁部９９および第１傾斜部１１４間に設けられた第１樋部１２１と、第４壁部１０２および第２傾斜部１１５間に設けられた第２樋部１２２と、第３壁部１０１および第３傾斜部１１６間に設けられた第３樋部１２３とを有する。
【００４９】
第１樋部１２１は、第１傾斜部１１４の下方に設けられ、かつ、第３樋部１２３に向けて下り勾配に形成されている。第２樋部１２２は、第２傾斜部１１５の下方に設けられ、かつ、第３樋部１２３に向けて下り勾配に形成されている。
第３樋部１２３は、第３傾斜部１１６の下方に設けられ、かつ、浄水取出部８９に向けて略Ｖ字状の下り勾配に形成されている。
第１樋部１２１、第２樋部１２２および第３樋部１２３でセパレータ９４の周辺部９４ａが形成される。すなわち、セパレータ９４の周辺部９４ａが開口部８８より低位置に配置されている。
【００５０】
図５、図６に戻って、セパレータ９４の中央９４ｂに開口部８８が形成され、開口部８８から周辺部９４ａに向けてセパレータ９４が下り勾配の傾斜状に形成され、セパレータ９４の周辺部９４ａが開口部８８より低位置に配置されている。よって、中央９４ｂの開口部８８が上方に配置されている。
開口部８８が上方に配置されることにより、蒸発器３５で蒸発させた水蒸気をセパレータ９４の下面９４ｃに沿って開口部８８まで円滑に導くことができる。
これにより、蒸発器３５で蒸発させた水蒸気を開口部８８を経て凝集器３８に効率よく導くことができ、浄水６９の生成量を確保できる。
【００５１】
さらに、セパレータ９４にセパレータ傾斜部１１１およびセパレータ樋部１１２（図７も参照）が備えられている。よって、凝集器３８で生成した浄水６９をセパレータ９４（特に、セパレータ傾斜部１１１）に滴下させ、滴下した浄水６９をセパレータ樋部１１２に導くことができる。さらに、セパレータ樋部１１２（すなわち、セパレータの周辺部）は中央部より温度が低いため浄水の再気化を防止できる。よって、セパレータ樋部１１２に導かれた浄水６９を浄水取出部８９に円滑に導くことができる。
これにより、凝集器３８で生成した浄水６９をセパレータ９４で好適に回収でき、浄水６９の生成量を確保できる。
【００５２】
蒸発器３５の上方で、かつ、セパレータ９４の開口部８８の下方に蒸気誘導板９５が配置されている。換言すれば、蒸発器３５およびセパレータ９４の開口部８８間に蒸気誘導板９５が設けられている。
【００５３】
図７、図９に示すように、蒸気誘導板９５は、平面視略矩形状に形成され、四隅の凸角部９５ａが支持部１２５を介して開口部８８の開口周縁１０４に一体に連結されている。
隣接する一対の支持部１２５、開口周縁１０４および蒸気誘導板９５で誘導口１２６が複数箇所に形成される。
【００５４】
蒸気誘導板９５は、中央に左右方向に延びる誘導稜線１２７と、誘導稜線１２７から誘導口１２６に向けて下り勾配に形成された第１〜第４の誘導傾斜部１２８とを有する。換言すれば、蒸気誘導板９５は、誘導口１２６から誘導稜線１２７に向けて上り勾配に形成されている。
図５、図６に示すように、蒸発器３５で蒸発させた水蒸気が、複数の誘導口１２６を経て蒸気誘導板９５に導かれる。導かれた水蒸気が、蒸気誘導板９５に誘導されて開口部８８の開口周縁１０４に向けて案内される。
【００５５】
ここで、開口部８８の開口周縁１０４は、水平方向において右凝縮部位７６ｄ（複数の右凝縮フィン８２）側および左凝縮部位７６ｅ（複数の左凝縮フィン８４）側に設けられている。
よって、蒸発器３５の水蒸気が蒸気誘導板９５で開口部８８の開口周縁１０４に向けて導かれることにより、開口部８８を経た水蒸気が複数の右凝縮フィン８２や複数の左凝縮フィン８４に効率よく導かれる。
これにより、開口部８８を経た水蒸気が複数の右凝縮フィン８２および複数の左凝縮フィン８４で効率よく凝縮されて浄水６９が生成される。
【００５６】
さらに、複数の右凝縮フィン８２および複数の左凝縮フィン８４は、開口部８８に対峙する開口対峙部位７６ｆを避けて形成されている。よって、開口対峙部位７６ｆで水蒸気を凝縮することを防ぎ、開口対峙部位７６ｆを避けた複数の右凝縮フィン８２および複数の左凝縮フィン８４で水蒸気を凝縮することができる。
これにより、凝集器３８内で凝縮した浄水６９が開口部８８を経て蒸発器３５内に滴下することを防止でき、浄水６９の生成量を十分に確保できる。
【００５７】
凝集器３８の頂部７６は、開口部８８に対峙する位置に中央部７６ｃを有し、中央部７６ｃから頂部７６の周辺部７６ｇに向けて前後方向に傾斜状に形成されている。
頂部７６が傾斜状に形成されることにより、頂部７６の中央部７６ｃが頂部７６の周辺部７６ｇより高位置に配置される。
【００５８】
よって、複数の右凝縮フィン８２および複数の左凝縮フィン８４で凝縮させた浄水６９が頂部７６の中央部７６ｃ側に移動することを防止できる。これにより、複数の右凝縮フィン８２および複数の左凝縮フィン８４させた浄水６９がセパレータ９４に滴下し、セパレータ９４で浄水６９が好適に収集される。
セパレータ部３９で収集された浄水が、浄水取出部８９を経て浄水タンク３３（図２参照）に蓄えられる。浄水タンク３３に蓄えられた浄水６９は、例えば、飲料水として使用される。
【００５９】
つぎに、凝集器３８で生成した浄水６９をセパレータ部３９で回収する例を図１０に基づいて説明する。
図１０（ａ）に示すように、エンジン１２の排気ガスが、排気管２７およびガス取入部６６を経て加熱部５３に矢印Ｃの如く導かれる。加熱部５３に導かれた排気ガスが、ガス排出部６７を経て蒸発器３５の外部６８に矢印Ｄの如く排出される。
【００６０】
加熱部５３にエンジン１２の排気ガスを導くことにより、排気ガスの廃熱（エンジン１２の廃熱）で加熱部５３（特に、加熱本体６５）が加熱される。加熱本体６５が加熱されることにより、原水貯留槽４８に蓄えられた原水２９と熱交換がおこなわれ、原水２９が蒸発して水蒸気が発生する。
原水２９の水蒸気が、セパレータ３９の開口部８８を経て右凝縮部位７６ｄの右凝縮フィン８２、および左凝縮部位７６ｅの左凝縮フィン８４に矢印Ｅの如く導かれる。
【００６１】
右凝縮フィン８２や左凝縮フィン８４は冷却フィン８１で好適な冷却状態に保たれている。よって、右凝縮フィン８２や左凝縮フィン８４に導かれた水蒸気が各凝縮フィン８２，８４で冷却され、右凝縮フィン８２や左凝縮フィン８４に付着した状態で浄水６９が生成される。
【００６２】
ところで、板状のセパレータ９４に開口部８８を形成することにより開口部８８が大きく確保されている。よって、蒸発器３５で蒸発させた水蒸気を開口部８８に効率よく取り入れることができ、取り入れた水蒸気を開口部８８を経て凝集器３８に導くことができる。
さらに、蒸気誘導板９５が誘導口１２６から誘導稜線１２７に向けて上り勾配に形成されている。よって、蒸発器３５で蒸発させた水蒸気を、蒸気誘導板９５で誘導して開口部８８の開口周縁１０４に向けて矢印Ｅの如く導くことができる。
【００６３】
蒸発器３５の水蒸気が開口周縁１０４に向けて導かれることにより、開口部８８を経た水蒸気が複数の右凝縮フィン８２や複数の左凝縮フィン８４に効率よく導かれる。複数の右凝縮フィン８２および複数の左凝縮フィン８４に導かれた水蒸気が各凝縮フィン８２，８４で効率よく凝縮されて浄水６９が生成される。
複数の右凝縮フィン８２および複数の左凝縮フィン８４（すなわち、凝集器３８）で生成された浄水６９がセパレータ９４（特に、セパレータ傾斜部１１１）に矢印Ｆの如く滴下する。
【００６４】
図１０（ｂ）に示すように、凝集器３８（図１０（ａ）参照）で生成された浄水６９を、開口部８８から蒸発器３５に落下させることなく、セパレータ傾斜部１１１に滴下させることができる。
これにより、凝集器３８で生成した浄水６９をセパレータ９４で好適に回収でき、浄水６９の生成量を確保できる。
【００６５】
ここで、セパレータ９４はセパレータ傾斜部１１１の傾斜周辺部１１１ａに沿ってセパレータ樋部１１２が設けられている。よって、セパレータ傾斜部１１１に滴下した浄水６９がセパレータ樋部１１２に矢印Ｇの如く円滑に導かれる。
セパレータ樋部１１２に導かれた浄水６９がセパレータ樋部１１２に沿って浄水取出部８９に向けて矢印Ｉの如く円滑に導かれる。浄水取出部８９に導かれた浄水６９が浄水取出部８９を経て浄水タンク３３（図２参照）に矢印Ｊの如く蓄えられる。
【００６６】
なお、本発明に係るエンジン駆動作業機は、前述した実施例に限定されるものではなく適宜変更、改良などが可能である。
例えば、前記実施例では、エンジン駆動作業機１０を発電機に適用する例について説明したが、これに限らないで、エンジン駆動作業機１０を除雪機、耕耘機や芝刈り機などのエンジン駆動用の他の作業機に適用することも可能である。
【００６７】
また、前記実施例で示したエンジン駆動作業機、エンジン、水生成装置、蒸発器、凝集器、セパレータ部、凝集器の頂部、中央部、開口対峙部位、周辺部、右凝縮フィン、左凝縮フィン、開口部、セパレータ、セパレータの周辺部、セパレータの中央、蒸気誘導板、開口周縁およびセパレータ傾斜部の傾斜周辺部などの形状や構成は例示したものに限定するものではなく適宜変更が可能である。
【産業上の利用可能性】
【００６８】
本発明は、エンジンの廃熱で原水を蒸発させ、蒸発させた水蒸気を凝縮させて浄水を生成する水生成装置を備えたエンジン駆動作業機への適用に好適である。
【符号の説明】
【００６９】
１０…エンジン駆動作業機、１２…エンジン、２０…水生成装置、２９…原水、３５…蒸発器、３８…凝集器、３９…セパレータ部、６９…浄水、７６…凝集器の頂部、７６ｃ…中央部（凝集器の中央部）、７６ｆ…開口対峙部位（開口部に対峙する部位）、７６ｇ…周辺部（凝集器の周辺部）、８２…右凝縮フィン（凝縮フィン）、８４…左凝縮フィン（凝縮フィン）、８８…開口部、９４…セパレータ、９４ａ…セパレータの周辺部、９４ｂ…セパレータの中央、９５…蒸気誘導板、１０４…開口周縁（周縁）、１１１ａ…セパレータ傾斜部の傾斜周辺部。
【図１】
2015031264.tif 000003
【図２】
2015031264.tif 000004
【図３】
2015031264.tif 000005
【図４】
2015031264.tif 000006
【図５】
2015031264.tif 000007
【図６】
2015031264.tif 000008
【図７】
2015031264.tif 000009
【図８】
2015031264.tif 000010
【図９】
2015031264.tif 000011
【図１０】
2015031264.tif 000012